(57)【要約】【課題】ホッパカセットにカードを装填するときのカード取扱動作の停止を抑制する。【解決手段】媒体の発行を含み、前記媒体を取扱うＩＣカード発行装置２において、前記媒体を収納し、着脱可能なホッパ部２７と、前記媒体収納部の着脱を検出する検出手段（ＳＮＳ３）と、前記検出手段でホッパ部２７が外されていることを検出したとき、前記媒体の発行動作のみを禁止する制御部とを備えた。【選択図】        図４
2015087813.tif 000002
【特許請求の範囲】
【請求項１】
媒体の発行を含み、前記媒体を取扱う媒体取扱装置において、
前記媒体を収納し、着脱可能な媒体収納部と、
前記媒体収納部の着脱を検出する検出手段と、
前記検出手段で前記媒体収納部が外されていることを検出したとき、前記媒体の発行動作のみを禁止する制御部とを備えたことを特徴とする媒体取扱装置。
【請求項２】
請求項１に記載の媒体取扱装置において、
前記制御部は、前記検出手段で前記媒体収納部が装着されたことを検出したとき、前記媒体収納部のみの初期化動作を行うことを特徴とする媒体取扱装置。
【請求項３】
請求項１または請求項２に記載の媒体取扱装置において、
前記媒体収納部に収納された媒体の地紋を検知する地紋検知手段を備え、
前記制御部は、前記検出手段で前記媒体収納部が装着されたことを検出し、かつ前記地紋検出手段で前記媒体収納部に収納された媒体の地紋を検知したとき、前記媒体収納部のみの初期化動作を行うことを特徴とする媒体取扱装置。
【請求項４】
媒体を発行する媒体取扱装置において、
前記媒体を収納し、着脱可能な媒体収納部と、
前記媒体収納部の着脱を検出する検出手段と、
前記媒体収納部に収納された媒体の地紋を検知する地紋検知手段と、
前記検出手段で前記媒体収納部が装着されたことを検出し、かつ前記地紋検出手段で前記媒体収納部に収納された媒体の地紋を検知したとき、媒体が収納された前記媒体収納部が装着されたことを検出する制御部とを備えたことを特徴とする媒体取扱装置。
【請求項５】
請求項４に記載の媒体取扱装置において、
前記制御部は、前記検出手段で前記媒体収納部が装着されたことを検出し、かつ前記地紋検出手段で前記媒体収納部に収納された媒体の地紋を検知したとき、前記媒体収納部のみの初期化動作を行うことを特徴とする媒体取扱装置。
【請求項６】
請求項１から請求項５のいずれかに記載の媒体取扱装置を備えたことを特徴とする顧客操作型端末装置。
【請求項７】
請求項６に記載の顧客操作型端末装置において、
前記媒体を取扱う取引を選択可能にした媒体取扱画面を表示する表示部と、
前記媒体取扱装置から前記媒体収納部の着脱情報の通知を受ける主制御部とを備え、
前記主制御部は、
前記媒体収納部が装着された旨の通知を受けたとき、前記媒体の発行を伴う取引を選択可能にした前記媒体取扱画面を表示部に表示し、
前記媒体収納部が外された旨の通知を受けたとき、前記媒体の発行を伴う取引を選択不能にした前記媒体取扱画面を表示部に表示することを特徴とする顧客操作型端末装置。
【請求項８】
請求項６または請求項７に記載の顧客操作型端末装置において、
前記媒体取扱装置は、顧客操作型端末装置から引き出すことなく、前記媒体収納部が着脱可能であることを特徴とする顧客操作型端末装置。
【発明の詳細な説明】
【技術分野】
【０００１】
本発明は、カード発行機構を有する媒体取扱装置および顧客操作型端末装置に関する。
【背景技術】
【０００２】
従来の媒体取扱装置は、カード発行機構のホッパカセットに新規のカードを装填しておき、そのカードを繰り出した後、情報の書き込みや印字等の発行処理を行い、カードを発行するようにしている（例えば、特許文献１参照）。
ホッパカセットに新規のカードを装填する場合、装置の背面扉を開き、カード発行機構を引き出す等してホッパカセットのカードを装填し、カードを装填したカード発行機構を媒体取扱装置に装着した後、初期動作を行うようにしている。
【先行技術文献】
【特許文献】
【０００３】
【特許文献１】特開２００５−２４２４３５号公報
【発明の概要】
【発明が解決しようとする課題】
【０００４】
しかしながら、上述した従来の技術においては、ホッパカセットに新規のカードを装填する場合、装置の背面扉を開き、カード発行機構を引き出す等してホッパカセットのカードを装填し、カードを装填したカード発行機構を媒体取扱装置に装着した後、媒体取扱装置全体の初期動作を行うようにしているため、初期動作を行っている間は媒体取扱装置を使用することができず、カード発行動作を伴わないカード読取りやカード書込み等のカードを取り扱う動作も行えないという問題がある。
本発明は、このような問題を解決することを課題とし、ホッパカセットにカードを装填するときのカード取扱動作の停止を抑制することを目的とする。
【課題を解決するための手段】
【０００５】
そのため、本発明は、媒体の発行を含み、前記媒体を取扱う媒体取扱装置において、前記媒体を収納し、着脱可能な媒体収納部と、前記媒体収納部の着脱を検出する検出手段と、前記検出手段で前記媒体収納部が外されていることを検出したとき、前記媒体の発行動作のみを禁止する制御部とを備えたことを特徴とする。
【発明の効果】
【０００６】
このようにした本発明は、ホッパカセットにカードを装填するときのカード取扱動作の停止を抑制することができるという効果が得られる。
【図面の簡単な説明】
【０００７】
【図１】第１の実施例における顧客操作型端末装置の外観斜視図
【図２】第１の実施例における顧客操作型端末装置の制御構成を示すブロック図
【図３】第１の実施例におけるＩＣカード発行装置の構成を示す概略側断面図
【図４】第１の実施例におけるＩＣカードホッパ部の構成を示す説明図
【図５】第１の実施例におけるＩＣカードホッパ部装着時の処理の流れを示すフローチャート
【図６】第２の実施例におけるＩＣカード取扱画面の説明図
【図７】第３の実施例におけるＩＣカードホッパ部の構成を示す説明図
【図８】第３の実施例における交通系ＩＣカードの説明図
【図９】第３の実施例におけるＩＣカードホッパ部装着時の処理の流れを示すフローチャート
【発明を実施するための形態】
【０００８】
以下、図面を参照して本発明による媒体取扱装置および顧客操作型端末装置の実施例を説明する。
【実施例１】
【０００９】
図１は第１の実施例における顧客操作型端末装置の外観斜視図である。
図１において、顧客操作型端末装置１００は、例えば駅や空港またはコンビニエンスストア等に設置され、顧客の操作を受付けてＩＣ（Ｉｎｔｅｇｒａｔｅｄ  Ｃｉｒｃｕｉｔ）カードの発行やチャージ（金銭データの記憶）、使用履歴表示等を行う自動券売機や現金自動預払機等である。なお、本実施例では、顧客操作型端末装置１００を自動券売機として説明する。
顧客操作型端末装置１００は、筐体としての装置本体１の前面に、顧客の操作を受付けるための操作表示部としてのタッチパネル式ディスプレイ３と、タッチパネル式ディスプレイ３の奥部に媒体取扱装置としてのＩＣカード発行装置２と、発券口５と、スピーカ６とを備えている。
【００１０】
媒体取扱装置としてのＩＣカード発行装置２は、媒体としてのＩＣカードの発行を含み、ＩＣカードを取扱うものである。このＩＣカード発行装置２は、顧客の操作によりカード挿入排出口２ａに挿入されたＩＣカードを引き込み、そのＩＣカードの記憶部としてのＩＣチップに金銭データを記憶させるチャージやＩＣチップに記憶された使用履歴情報を読み取る履歴読取、ＩＣカードの新規発行等を行うものである。また、ＩＣカード発行装置２は、ＩＣカードの新規発行時に、ＩＣカードのＩＣチップに対する情報の書き込みに加え、消去および再書き込み可能なリライト面への印字やリライト面の消去および印字を行う。
【００１１】
タッチパネル式ディスプレイ３は、顧客の操作を誘導・案内する画面としてＩＣカードを取扱う取引を選択可能にしたＩＣカード取扱画面等を表示する表示部としてのディスプレイと、顧客の入力操作を受付ける入力部としてのタッチパネルとを備えている。本実施例では、タッチパネル式ディスプレイ３に表示したＩＣカード取扱画面において、ＩＣカードチャージ、ＩＣカード履歴表示・印刷、ＩＣカード新規発行、ＩＣカード発行替え等の取引を選択する顧客の操作を受付けることができるようになっている。
発券口５は、後述する発券プリンタにより印刷された各種チケットを排出するものである。
【００１２】
スピーカ６は、音声や効果音等を発生させるものであり、顧客の操作の誘導・案内等を行う。
なお、本実施例では、顧客操作型端末装置１００の前面には、ＩＣカード発行装置２のカード挿入排出口２ａ、タッチパネル式ディスプレイ３、発券口５およびスピーカ６が配設されているものとして説明するが、それらに加え、硬貨の投入を受付ける硬貨投入口、硬貨を排出する硬貨排出口、紙幣の挿入を受付ける紙幣挿入口、紙幣を排出する紙幣排出口、および数字キーからなるテンキー部等が配設されているものであってもよい。
【００１３】
図２は第１の実施例における顧客操作型端末装置の制御構成を示すブロック図である。
図２において、顧客操作型端末装置１００は、ＩＣカード発行装置２と、タッチパネル式ディスプレイ３と、スピーカ６と、制御ユニット１１と、発券プリンタ１２と、電源ユニット１４とから構成されている。
主制御部としての制御ユニット１１は、ＣＰＵ（Ｃｅｎｔｒａｌ  Ｐｒｏｃｅｓｓｉｎｇ  Ｕｎｉｔ）１１１と、記憶部としてのメモリ１１２およびＨＤＤ（Ｈａｒｄ  Ｄｉｓｋ  Ｄｒｉｖｅ）１１３と、通信部としてのＩ／Ｆ（１１４ａ、１１４ｂ、１１４ｃ）およびＶｉｄｅｏＩ／Ｆ１１４ｄと、ＡｕｄｉｏＯＵＴ１１５と、通信制御部としてのＬＡＮ（Ｌｏｃａｌ  Ａｒｅａ  Ｎｅｔｗｏｒｋ）制御部１１６とから構成されている。
【００１４】
ＣＰＵ１１１は、メモリ１１２に記憶された制御プログラム（ソフトウェア）に基づいて顧客操作型端末装置１００全体の動作を制御する中央処理装置である。
メモリ１１２は、ＣＰＵ１１１で実行される制御プログラムや各種制御データを記憶する。ＨＤＤ１１３は、ＣＰＵ１１１で実行される制御プログラムやアプリケーションプログラム、画面情報等の各種データを記憶する。
発券プリンタ１２は、印刷機構および発券機構を備え、制御ユニット１１から指示を受けて各種チケットに印刷を行い、印刷された各種チケットを発行するものである。
【００１５】
スピーカ６は、制御ユニット１１からの指示により音声等を発生させるものであり、顧客の操作の誘導・案内等を行う。
ＩＣカード発行装置２は、Ｉ／Ｆ１１４ａを介して制御ユニット１１と接続され、タッチパネル式ディスプレイ３のタッチパネルはＩ／Ｆ１１４ｂを介して制御ユニット１１と接続され、発券プリンタ１２はＩ／Ｆ１１４ｃを介して制御ユニット１１と接続されている。また、タッチパネル式ディスプレイ３のディスプレイはＶｉｄｅｏＩ／Ｆ１１４ｄを介して制御ユニット１１と接続され、制御ユニット１１からの画像データを受信する。さらに、スピーカ６はＡｕｄｉｏＯＵＴ１１５を介して制御ユニット１１と接続され、制御ユニット１１からの音声信号を受信する。
【００１６】
ＬＡＮ制御部１１６は、制御ユニット１１と通信回線としてのＬＡＮで接続された図示しない他の装置との間で通信制御を行うものである。
電源ユニット１４は、ＩＣカード発行装置２、タッチパネル式ディスプレイ３、発券プリンタ１２および制御ユニット１１を含め顧客操作型端末装置１００全体に電力を供給するものである。
本実施例では、制御ユニット１１は、ＩＣカード発行装置２からＩＣカードを収納するホッパ部の着脱情報等の通知を受ける。
【００１７】
図３は第１の実施例におけるＩＣカード発行装置の構成を示す概略側断面図である。
図３において、ＩＣカード発行装置２は、カード挿入排出口２ａと、インサータ部２１と、切替部２２と、カードリーダ部２３と、ＩＣＲ／Ｗ（ＩＣカードＲｅａｄ／Ｗｒｉｔｅ）部２４と、回収部２５と、リライト印字部２６と、ホッパ部２７と、ピッカローラ２８と、取忘取込部３０と、各部を結ぶ搬送路３１と、制御部３２とにより構成されている。
【００１８】
インサータ部２１は、カード挿入排出口２ａから挿入されたカードを装置内に引き込むものである。また、インサータ部２１は、情報の読取りまたは書込みを行い、また印字が終了したカードをカード挿入排出口２ａから排出する。なお、インサータ部２１には、カードの磁気ストライプの有無を検知する磁気ヘッドやＩＣカードであるか否かを判別するためのセンサを備えている。
切替部２２は、インサータ部２１により引き込んだカードの搬送先を切り替えるものであり、カードの搬送先をカードリーダ部２３、ＩＣＲ／Ｗ部２４、回収部２５または取忘取込部３０へと切り替える。
【００１９】
カードリーダ部２３は、カードの磁気ストライプに記録された情報の読取り、または情報の磁気ストライプへの書き込みを行うものである。このカードリーダ部２３には、インサータ部２１で磁気ストライプを有するカードであると判別されたカードが搬送される。
ＩＣＲ／Ｗ部２４は、ＩＣカードに備えられたＩＣチップに対して情報の読取りまたは書込みを行うものである。このＩＣＲ／Ｗ部２４には、インサータ部２１で判別されたＩＣカードやホッパ部２７から繰り出されたＩＣカードが搬送され、そのＩＣカードのＩＣチップに対して情報の読取りまたは書込みが行われる。
回収部２５は、使用済みの旧カードを収容するものであり、切替部２２で搬送先が切り替えられ、搬送されたカードを収容するものである。
【００２０】
リライト印字部２６は、印字ヘッド２６ａおよび消去ヘッド２６ｂを備え、ＩＣカードの表面に形成されたリライト面に印字や印字された文字等の消去を行うものである。このリライト印字部２６には、インサータ部２１で判別されたＩＣカードやホッパ部２７から繰り出されたＩＣカードが搬送され、そのＩＣカードのリライト面に印字し、また印字された文字等を消去する。
媒体収納部としてのホッパ部２７は、ＩＣカード発行装置２に対して後面側から着脱可能に構成され、新規のＩＣカードを予め収納しておく収納部である。このホッパ部２７は、リライト印字部２６の奥部に配設され、底部に形成された開口部から収納したＩＣカードを搬送路３１に搬出することができるようになっている。
【００２１】
ピッカローラ２８は、ホッパ部２７の底部に形成された開口部を介してホッパ部２７に収納されたＩＣカードに接触するように配設され、駆動手段としてのモータからの駆動で回転することにより、ホッパ部２７に収容されたＩＣカードを搬送路３１へ繰り出すことができるようになっている。
取忘取込部３０は、カード挿入排出口２ａから排出したカードが所定時間を経過しても受け取られない場合、そのカードを引き込み、収容するものである。
制御部３２は、ＣＰＵ等で構成され、メモリ等の記憶部に記憶された制御プログラム（ソフトウェア）に基づいてＩＣカード発行装置２全体の動作を制御する。
【００２２】
このＩＣカード発行装置２は、ＩＣカードがインサータ部２１のカード挿入排出口２ａから挿入されると、インサータ部２１でＩＣカードと判別された後、ＩＣＲ／Ｗ２４でＩＣカードのＩＣチップから情報の読取りを行う。その後、ＩＣカードのＩＣチップに対して情報の書き換えを行い、印字が必要な場合はＩＣカードをリライト印字部２６へ搬送し、消去ヘッド２６ｂでＩＣカードのリライト面に印字されている内容を消去し、印字ヘッド２６ａでＩＣカードのリライト面に新たな印字内容を印字する。新たな印字内容が印字されたＩＣカードは、インサータ部２１へ搬送されてカード挿入排出口２ａから排出される。
【００２３】
また、ＩＣカード発行装置２は、ＩＣカードを新規に発行するとき、予めＩＣカードが収納されたホッパ部２７から１枚のＩＣカードをピッカローラ２８により繰り出してＩＣＲ／Ｗ２４へ搬送し、ＩＣＲ／Ｗ２４で情報の書込みを行う。印字が必要な場合はＩＣカードをリライト印字部２６へ搬送し、印字ヘッド２６ａでＩＣカードのリライト面に新たな印字内容を印字する。新たな印字内容が印字されたＩＣカードは、インサータ部２１へ搬送されてカード挿入排出口２ａから排出される。
【００２４】
図４は第１の実施例におけるＩＣカードホッパ部の構成を示す説明図であり、図３に示すホッパ部２７を拡大した説明図である。
図４において、ホッパ部２７は、予めＩＣカードを収納する箱状のカセット（ホッパカセット）であり、その底部に形成された開口部に対向してピッカローラ２８およびピッカローラを駆動するモータ２９が配設されている。
【００２５】
このホッパ部２７は、図中矢印Ａが示すＩＣカード発行装置の前方または後方（奥部）に回動可能かつＩＣカード発行装置に対して着脱可能に構成され、図１に示す顧客操作型端末１００の背面扉を開放し、ＩＣカード発行装置２全体を顧客操作型端末１００から後方に引き出すことなく、ＩＣカード発行装置２に対して後方に回動させ、図４中の矢印Ｂが示す斜め上方に引き上げることにより、ＩＣカード発行装置から取外すことができるようになっており、またＩＣカード発行装置に装着することができるようになっている。
【００２６】
ＳＮＳ１は、ニアエンド検知センサであり、ホッパ部２７に収容されているＩＣカードの残量が少なくなったことを検知するセンサである。
ＳＮＳ２は、エンド検知センサであり、ホッパ部２７に収容されているＩＣカードの残量が無くなったことを検知するセンサである。
検出手段としてのＳＮＳ３は、ホッパ部２７の着脱を検出するホッパ部セット検知センサであり、ホッパ部（ホッパカセット）２７がＩＣカード発行装置に装着されていることおよびＩＣカード発行装置から取り外されていることを検知するセンサである。
ＳＮＳ４は、ピッカローラホームポジション検知センサであり、ピッカローラ２８の初期位置を検知するセンサである。
【００２７】
上述した構成の作用について説明する。
ＩＣカード発行装置が行うホッパ部装着時の処理を図５の第１の実施例におけるホッパ部装着時の処理の流れを示すフローチャートの図中Ｓで表すステップに従って図３および図４を参照しながら説明する。
Ｓ１：ＩＣカード発行装置２の制御部３２は、ＳＮＳ３（ホッパ部セット検知センサ）によりホッパ部２７がＩＣカード発行装置２に装着されているか否かを判定し、装着されていると判定すると処理をＳ２へ移行し、装着されていないと判定すると処理をＳ７へ移行する。
【００２８】
ＩＣカードをホッパ部２７に補充するときは、図１に示す顧客操作型端末１００の背面扉を開放し、ＩＣカード発行装置２のホッパ部２７を背面側に回動させ、斜め上方に引き抜き、ホッパ部２７にＩＣカードを補充する。このとき、ホッパ部２７がＩＣカード発行装置２から引き抜かれていることは、ＳＮＳ３（ホッパ部セット検知センサ）により検知され、Ｓ１においてホッパ部２７がＩＣカード発行装置２に装着されていないことが検知される。
【００２９】
本実施例では、ホッパ部２７がＩＣカード発行装置２に装着されていないことが検知されても、顧客操作型端末１００およびＩＣカード発行装置２は装置の異常とはせず、継続して動作を行い、顧客操作等による運用が可能な状態とする。
一方、ホッパ部２７にＩＣカードが補充され、ホッパ部２７がＩＣカード発行装置２に装着されると、ＳＮＳ３（ホッパ部セット検知センサ）により検知され、Ｓ１においてホッパ部２７がＩＣカード発行装置２に装着されていることが検知される。
【００３０】
Ｓ２：ホッパ部２７がＩＣカード発行装置２に装着されていると判定した制御部３２は、ＳＮＳ２（エンド検知センサ）により、ホッパ部２７にＩＣカードが収納されていないエンド（空）状態であるか否かを検知し、空状態であると判定すると処理をＳ６へ移行し、空状態でないと判定すると処理をＳ３へ移行する。
Ｓ３：ホッパ部２７にＩＣカードが収納されている（空状態でない）と判定した制御部３２は、ＳＮＳ１（ニアエンド検知センサ）により、ホッパ部２７に収納されているＩＣカードの残量が少量（ニアエンド）であるか否かを検知し、少量であると判定すると処理をＳ４へ移行し、少量でなく残留が十分に有ると判定すると処理をＳ５へ移行する。
【００３１】
Ｓ４：ＩＣカードの残量が少量であると判定した制御部３２は、ホッパ部２７に収納されているＩＣカードの残量が少量であることを表すニアエンドビットをＯＮとしてＣＰＵ１１１等に通知し、処理Ｓ６へ移行する。このニアエンドビットは、タッチパネル式ディスプレイ３等の表示部に表示する「ＩＣカードの残量表示」に使用される。
Ｓ５：ＩＣカードの残量が十分に有ると判定した制御部３２は、ホッパ部２７に収納されているＩＣカードの残量が十分であることを表すため、ニアエンドビットをＯＦＦとしてＣＰＵ１１１等に通知し、処理Ｓ６へ移行する。
Ｓ６：制御部３２は、ホッパ部２７のピッカローラ２８を初期位置に回転移動させるホッパ部イニシャル（初期化）動作を行い、本処理を終了する。
【００３２】
ここで、制御部３２は、ＩＣカード発行装置２全体の初期化動作を行うことなく、ホッパ部２７の初期化動作のみを行うようにしているため、ホッパ部２７からの新規のＩＣカードを発行する動作以外のＩＣカードのＩＣチップに対する情報の読取りまたは書込み等の動作を行うことができ、ＩＣカードのチャージや使用履歴情報の読取り等の処理を行うことができる。
また、ＩＣカード発行装置２が新規のＩＣカードを発行する動作以外の動作を行っているとき、ホッパ部２７のＩＣカード発行装置２に対する着脱が可能になる。
このように、制御部３２は、ＳＮＳ３（ホッパ部セット検知センサ）によりホッパ部２７がＩＣカード発行装置２から外されていることを検出したとき、ＩＣカードを発行動作のみを禁止する。
【００３３】
また、制御部３２は、ＳＮＳ３（ホッパ部セット検知センサ）によりホッパ部２７がＩＣカード発行装置２に装着されたことを検出したとき、ホッパ部２７のみの初期化動作を行う。
Ｓ７：Ｓ１において、ホッパ部２７がＩＣカード発行装置２に装着されていないと判定した制御部３２は、ＳＮＳ１（ニアエンド検知センサ）によるホッパ部２７に収納されているＩＣカードの残量が少量であるか否かの検知結果を無視してニアエンドビットを更新せず本処理を終了する。
【００３４】
このように、ＩＣカード発行装置２の制御部３２は、ホッパ部２７にＩＣカードを補充するため、ホッパ部２７が引き抜かれたことを検知したとき、装置の異常とはせず、継続して動作を行い、またホッパ部２７が装着されたことを検知したとき、ホッパ部２７の初期化動作のみを行うようにしたため、顧客操作型端末１００およびＩＣカード発行装置２の無停止によるＩＣカードの補充が可能となり、またホッパ部２７にＩＣカードを装填した後、直ぐにＩＣカードの発行動作を行うことができる。さらに、ホッパ部２７が外されたときでも、ホッパ部２７からの発行動作以外の機能を限定した運用が可能になる。
【００３５】
以上説明したように、第１の実施例では、ＩＣカード発行装置の制御部３２は、ホッパ部が装着されたことを検知したとき、ホッパ部の初期化動作のみを行うようにしたため、ホッパ部にカードを装填するときのカード取扱動作の停止を抑制することができるという効果が得られる。
また、ホッパ部が外されたときは、機能を限定した運用を行うことができるという効果が得られる。
【実施例２】
【００３６】
第２の実施例は、ＩＣカード発行装置からホッパ部を取り出したとき、顧客操作型端末のディスプレイに表示する操作画面においてＩＣカードの新規発行動作を伴う取引を選択できないようにし、ホッパ部の取り出し中に顧客がＩＣカードの新規発行を行うことができないようにするものである。
なお、第２の実施例の構成は、上述した第１の実施例と同様なので同一の符号を付してその説明を省略する。
【００３７】
上述した構成の作用について説明する。
顧客操作型端末がタッチパネル式ディスプレイに表示するＩＣカード取扱画面を図６の第２の実施例におけるＩＣカード取扱画面の説明図に基づいて図１、図３および図４を参照しながら説明する。
図６（ａ）は、ＩＣカード発行装置２にホッパ部２７が装着されているときにタッチパネル式ディスプレイ３に表示されるＩＣカード取扱画面６１であり、取引を選択するための選択ボタンであるＩＣカードチャージ６１ａ、ＩＣカード履歴表示・印刷６１ｂ、ＩＣカード新規発行６１ｃ、ＩＣカード発行替え６１ｄが選択可能に表示されている。なお、ＩＣカード発行替えとは、旧ＩＣカードを回収して新ＩＣカードを発行する取引である。
【００３８】
ここで、ＩＣカード発行装置２にホッパ部２７が装着されているとき、制御ユニット１１は、ＩＣカード発行装置２からホッパ部２７が装着されている旨（着脱情報）の通知を受け、ＩＣカード取扱画面６１にＩＣカード発行装置２のホッパ部２７の動作を伴う取引であるＩＣカード新規発行６１ｃ、ＩＣカード発行替え６１ｄを選択可能に表示する。
ＩＣカードをホッパ部２７に補充するときは、顧客操作型端末１００の背面扉を開放し、ＩＣカード発行装置２のホッパ部２７を背面側に回動させ、斜め上方に引き抜き、ホッパ部２７にＩＣカードを補充する。このとき、ホッパ部２７がＩＣカード発行装置２から引き抜かれ取外されていることは、ＳＮＳ３（ホッパ部セット検知センサ）により検知される。
【００３９】
本実施例では、ホッパ部２７がＩＣカード発行装置２に装着されていないことが検知されても、顧客操作型端末１００およびＩＣカード発行装置２は装置の異常とはせず、継続して動作を行い、顧客操作等による運用が可能な状態であるため、タッチパネル式ディスプレイ３にＩＣカード取扱画面が表示されたままとなる。
図６（ｂ）は、ＩＣカード発行装置２からホッパ部２７が取外されたときにタッチパネル式ディスプレイ３に表示されるＩＣカード取扱画面６２であり、取引を選択するための選択ボタンであるＩＣカードチャージ６１ａ、ＩＣカード履歴表示・印刷６１ｂが選択可能に表示され、ＩＣカード新規発行６２ｃ、ＩＣカード発行替え６２ｄは選択できないように表示される。
【００４０】
ここで、ＩＣカード発行装置２からホッパ部２７が取外されているとき、制御ユニット１１は、ＩＣカード発行装置２からホッパ部２７が取外されている旨（着脱情報）の通知を受け、ＩＣカード取扱画面６２にＩＣカード発行装置２のホッパ部２７の動作（ＩＣカード発行動作）を伴う取引であるＩＣカード新規発行６１ｃ、ＩＣカード発行替え６１ｄを選択できないように表示する。
【００４１】
係員等によりホッパ部２７にＩＣカードが補充され、ホッパ部２７がＩＣカード発行装置２に装着されると、ＳＮＳ３（ホッパ部セット検知センサ）により、ホッパ部２７がＩＣカード発行装置２に装着されていることが検知される。
ＩＣカード発行装置２の制御部３２は、ＳＮＳ２（エンド検知センサ）により、ホッパ部２７にＩＣカードが収納されていない空状態であるか否かを検知し、またＳＮＳ１（ニアエンド検知センサ）により、ホッパ部２７に収納されているＩＣカードの残量が少量であるか否かを検知した後、ホッパ部２７のピッカローラ２８を初期位置に回転移動させるホッパ部イニシャル（初期化）動作を行う。
【００４２】
ホッパ部イニシャル（初期化）動作が終了すると、ＩＣカード発行装置２にホッパ部２７が正常に装着されたこととなるため、制御ユニット１１は、ＩＣカード発行装置２からホッパ部２７が装着されている旨（着脱情報）の通知を受け、タッチパネル式ディスプレイ３に表示するＩＣカード取扱画面を図６（ｂ）に示すＩＣカード取扱画面６２から図６（ａ）に示すＩＣカード取扱画面６１に切替え、ＩＣカード取扱画面６１にＩＣカード発行装置２のホッパ部２７の動作（ＩＣカード発行動作）を伴う取引であるＩＣカード新規発行６１ｃ、ＩＣカード発行替え６１ｄを選択可能に表示し、ホッパ部２７の動作を伴う取引を含めＩＣカード発行装置２に関わるすべての取引が選択できるようにする。
【００４３】
ただし、ＩＣカード発行装置２の制御部３２は、ＳＮＳ２（エンド検知センサ）により、ホッパ部２７にＩＣカードが収納されていない空状態であると判定した場合、ＩＣカード発行装置２のホッパ部２７の動作を伴う取引は行うことができない。そのため、制御ユニット１１は、ＩＣカード発行装置２からホッパ部２７が空状態である旨の通知を受けると、タッチパネル式ディスプレイ３に表示するＩＣカード取扱画面を図６（ｂ）に示すＩＣカード取扱画面６２のままとし、ＩＣカード取扱画面６２にＩＣカード発行装置２のホッパ部２７の動作を伴う取引であるＩＣカード新規発行６１ｃ、ＩＣカード発行替え６１ｄを選択できないように表示する。
【００４４】
また、ＩＣカード発行装置２の制御部３２が、ＳＮＳ１（ニアエンド検知センサ）により、ホッパ部２７に収納されているＩＣカードの残量が少量であると判定した場合、制御ユニット１１は、ＩＣカード発行装置２からホッパ部２７に収納されているＩＣカードの残量が少量である旨の通知を受け、タッチパネル式ディスプレイ３に表示するＩＣカード取扱画面を図６（ａ）に示すＩＣカード取扱画面６１に切替えるが、ホッパ部２７に収納されているＩＣカードの残量が少量である旨をホストコンピュータ等の上位装置へ通知し、係員等へ報知する。
【００４５】
このように、制御部３２はＩＣカード発行装置２からホッパ部２７が取外されていることを検知しているとき、ＩＣカード取扱画面６２にＩＣカード発行装置２のホッパ部２７の動作を伴う取引を選択できないように表示するようにしたことにより、ホッパ部２７が取外されているとき、顧客が誤ってＩＣカードの新規発行等のホッパ部２７の動作を伴う取引を選択することがなくなり、顧客の不要な操作を防止することができる。
以上説明したように、第２の実施例では、第１の実施例の効果に加え、ＩＣカード発行装置からホッパ部が取外されているとき、ホッパ部の動作を伴う取引を選択できないＩＣカード取扱画面を表示するようにしたことにより、顧客の不要な操作を防止することができるという効果が得られる。
【実施例３】
【００４６】
第１の実施例および第２の実施例では、ＩＣカード発行装置にホッパ部を装着されたことをホッパ部セット検知センサにより検知すると、ホッパ部イニシャル（初期化）動作を行うようにしているが、ＩＣカード発行装置にホッパ部を装着するとき、操作者が誤ってホッパ部セット検知センサをオンさせてしまった場合、ホッパ部が装着されていないにもかかわらずホッパ部イニシャル動作を行ってしまう。
そこで、第３の実施例では、ホッパ部に収納されているＩＣカードを検知してホッパ部イニシャル動作を行うようにしている。
【００４７】
図７は第３の実施例におけるＩＣカードホッパ部の構成を示す説明図である。なお、上述した第１の実施例と同様の部分は、同一の符号を付してその説明を省略する。
図７において、地紋検知手段としてのＳＮＳ５は、マーク検知センサであり、ホッパ部２７に収納されたＩＣカードの裏面の地紋およびＩＣカードの裏面の地紋上に形成された標識としてのマークを検知するものである。このＳＮＳ５（マーク検知センサ）は、光学式の反射センサであり、ＩＣカードの裏面に照射した光の反射率を測定してマークの有無を検知する。なお、本実施例では、ホッパ部２７に収納されるＩＣカードを交通系のＩＣカードとして説明する。
【００４８】
図８は第３の実施例における交通系ＩＣカードの説明図である。
図８において、交通系ＩＣカード７１には、例えば裏面の灰色の地紋７２上に、３つの黒色のマーク７１ａ、７１ｂ、７１ｃが設けられ、図中矢印Ｃが示す媒体搬送方向に送り出されて図３に示すリライト印字部２６へ搬送される。
一般に、マーク７１ａ、７１ｂ、７１ｃを検出して交通系ＩＣカード７１の検出や交通系ＩＣカード７１の向きを検出するようにしている。また、ホッパ部に収納された交通系ＩＣカード７１を新規発行する場合、ホッパ部からの繰出し時に、マーク７１ａ、７１ｂ、７１ｃを検出して交通系ＩＣカード７１の向きが正常か否かの判定を行っている。
【００４９】
交通系ＩＣカード７１の新規発行時は、ホッパ部から交通系ＩＣカード７１を繰り出しながらマーク検知センサ（ＳＮＳ５）でマーク７１ａ、地紋７２ｂ、マーク７１ｂ、地紋７２ｃの順に検出し、ホッパ部に交通系ＩＣカード７１が収納されている状態ではマーク検知センサ（ＳＮＳ５）は地紋７２ａを検出する位置に配設されている。
本実施例では、図７に示すＩＣカード発行装置にホッパ部２７を装着されたことをホッパ部セット検知センサ（ＳＮＳ３）により検知し、さらにマーク検知センサ（ＳＮＳ５）で交通系ＩＣカード７１の地紋７２ａを検出すると、交通系ＩＣカード７１が収納されたホッパ部２７が装着されたと判断し、ホッパ部イニシャル（初期化）動作を行う。
【００５０】
上述した構成の作用について説明する。
ＩＣカード発行装置が行うホッパ部装着時の処理を図９の第３の実施例におけるホッパ部装着時の処理の流れを示すフローチャートの図中Ｓで表すステップに従って図８を参照しながら説明する。
Ｓ１１、Ｓ１２：図５におけるＳ１、Ｓ２と同様の処理なのでその説明を省略する。
Ｓ１３：ホッパ部２７にＩＣカードが収納されている（空状態でない）と判定した制御部３２は、マーク検知センサ（ＳＮＳ５）により、ホッパ部２７に収納されている交通系ＩＣカード７１の地紋７２ａを検出する媒体検出処理を行う。
【００５１】
Ｓ１４：地紋７２ａが検出でき、媒体が正常にセットされていると判定すると処理をＳ１５へ移行し、地紋７２ａが検出できず、媒体が正常にセットされていないと判定するとホッパ部イニシャル（初期化）動作を行うことなく本処理を終了する。
Ｓ１５〜Ｓ１９：図５におけるＳ３〜Ｓ７と同様の処理なのでその説明を省略する。
このように、制御部３２は、ＳＮＳ３（ホッパ部セット検知センサ）によりホッパ部２７がＩＣカード発行装置２に装着されたことを検出し、かつマーク検知センサ（ＳＮＳ５）によりホッパ部２７に収納されている交通系ＩＣカード７１の地紋７２ａを検出したとき、ホッパ部２７のみの初期化動作を行う。
【００５２】
本実施例では、第２の実施例と同様に、Ｓ１８において、ホッパ部イニシャル（初期化）動作が終了すると、ＩＣカード発行装置２にホッパ部２７が正常に装着されたこととなるため、制御ユニット１１は、ＩＣカード発行装置２からホッパ部２７が装着されている旨の通知を受け、タッチパネル式ディスプレイ３に表示するＩＣカード取扱画面を図６（ｂ）に示すＩＣカード取扱画面６２から図６（ａ）に示すＩＣカード取扱画面６１に切替え、ＩＣカード取扱画面６１にＩＣカード発行装置２のホッパ部２７の動作を伴う取引であるＩＣカード新規発行６１ｃ、ＩＣカード発行替え６１ｄを選択可能に表示し、ホッパ部２７の動作を伴う取引を含めＩＣカード発行装置２に関わるすべての取引が選択できるようにする。
【００５３】
このように、本実施例では、ホッパ部２７に収納されている交通系ＩＣカード７１の地紋７２ａをマーク検知センサ（ＳＮＳ５）により検出してホッパ部イニシャル動作を行うようにしたことにより、ＩＣカード発行装置２にホッパ部２７を装着するとき、操作者が誤ってホッパ部セット検知センサ（ＳＮＳ３）をオンさせてしまった場合、マーク検知センサ（ＳＮＳ５）は交通系ＩＣカード７１の灰色の地紋７２ａを検出することができず（反射光がないため黒と認識）、ホッパ部イニシャル動作は行わない。
この場合、タッチパネル式ディスプレイ３に表示されるＩＣカード取扱画面は、図６（ｂ）に示すＩＣカード取扱画面６２のままであるため、ＩＣカード発行装置２のホッパ部２７の動作を伴う取引であるＩＣカード新規発行６１ｃ、ＩＣカード発行替え６１ｄは選択することはできない。
【００５４】
また、先端と後端とが逆にされて交通系ＩＣカード７１がホッパ部２７に収納された場合や表裏が逆にされて交通系ＩＣカード７１がホッパ部２７に収納された場合にも、マーク検知センサ（ＳＮＳ５）は交通系ＩＣカード７１の灰色の地紋７２ａを検出することができず、交通系ＩＣカード７１がホッパ部２７に正常に収納され邸内としてホッパ部イニシャル動作は行わない。
この場合も、タッチパネル式ディスプレイ３に表示されるＩＣカード取扱画面は、図６（ｂ）に示すＩＣカード取扱画面６２のままであるため、ＩＣカード発行装置２のホッパ部２７の動作を伴う取引であるＩＣカード新規発行６１ｃ、ＩＣカード発行替え６１ｄは選択することはできない。
【００５５】
さらに、ＩＣカード発行装置２にホッパ部２７が装着されたが、ホッパ部２７に収納されている交通系ＩＣカード７１の残量が空状態や少量の状態以外に、マーク検知センサ（ＳＮＳ５）で交通系ＩＣカード７１の灰色の地紋７２ａを検出することができない場合は、ホッパ部２７に収納されている交通系ＩＣカード７１の状態が異常である旨をホストコンピュータ等の上位装置へ通知し、係員等へ報知する。このようにすることで交通系ＩＣカード７１の新規発行の取引を確実に行うことができる。
【００５６】
以上説明したように、第３の実施例では、第１の実施例および第２の実施例の効果に加え、ホッパ部に収納されているＩＣカードをマーク検知センサで検知してホッパ部初期化動作を行うようにしたことにより、ホッパ部が装着されていないにもかかわらずホッパ部初期化動作を行ってしまうことを防止することができるという効果が得られる。
なお、第１の実施例から第３の実施例では、顧客操作型端末装置１００を自動券売機として説明したが、それに限られることなく、ＩＣカード発行装置を備えるものであれば、現金自動預払機等の自動取引装置としても良い。
【符号の説明】
【００５７】
１    装置本体
２    ＩＣカード発行装置
２ａ  カード挿入排出口
３    タッチパネル式ディスプレイ
５    発券口
６    スピーカ
１１  制御ユニット
１２  発券プリンタ
１４  電源ユニット
２１  インサータ部
２２  切替部
２３  カードリーダ部
２４  ＩＣＲ／Ｗ部
２５  回収部
２６  リライト印字部
２７  ホッパ部
２８  ピッカローラ
３０  取忘取込部
３１  搬送路
３２  制御部
１００  顧客操作型端末装置
【図１】
2015087813.tif 000003
【図２】
2015087813.tif 000004
【図３】
2015087813.tif 000005
【図４】
2015087813.tif 000006
【図５】
2015087813.tif 000007
【図６】
2015087813.tif 000008
【図７】
2015087813.tif 000009
【図８】
2015087813.tif 000010
【図９】
2015087813.tif 000011